(57)【要約】【課題】トリミング画像を印刷したときの印刷解像度が印刷装置が推奨する印刷解像度に対して適しているか否かを確認しながら、トリミング領域設定操作を行うこと。【解決手段】印刷用紙選択部１０２は、印刷する際に用いるサイズの印刷用紙を選択する。トリミング領域設定部１０４は、画像に対して、トリミング領域を設定する。算出部１０５は、トリミング領域に対応する印刷解像度を算出する。印刷解像度しきい値設定部１０６は、印刷解像度のしきい値を設定する。画質判断部１０７は、トリミング画像の印刷画質を判断する。表示制御部１０８は、トリミング領域が設定された画像とともに、トリミング画像の印刷画質に対応した情報を表示するように制御する。表示部１０９は、トリミング領域が設定された画像と、トリミング画像の印刷画質に対応した情報とを表示する。【選択図】図１
2007150400.tif 000002
【特許請求の範囲】
【請求項１】
印刷装置において印刷可能な複数のサイズの印刷用紙の中から、所望の画像のトリミング画像を印刷する際に用いるサイズの印刷用紙を選択する印刷用紙選択手段と、
前記画像に対して、前記印刷用紙選択手段によって選択されたサイズの前記印刷用紙に対応するサイズのトリミング領域を設定するトリミング領域設定手段と、
前記印刷装置が推奨する印刷解像度に基づいて、印刷する前記トリミング画像に対応する印刷解像度のしきい値を設定する印刷解像度しきい値設定手段と、
前記トリミング領域設定手段によって設定された前記トリミング領域に対応する印刷解像度を算出する算出手段と、
前記印刷解像度しきい値設定手段によって設定した印刷解像度のしきい値と、前記算出手段によって算出された印刷解像度とを比較することによって、前記トリミング画像の印刷画質を判断する画質判断手段と、
前記トリミング領域が設定された前記画像とともに、前記画質判断手段によって判断された前記トリミング画像の印刷画質に対応した情報を表示するように制御する表示制御手段と、
前記トリミング領域が設定された前記画像と、前記トリミング画像の印刷画質に対応した情報とを表示する表示手段と、
を備えたことを特徴とする画像編集装置。
【請求項２】
前記表示制御手段は、前記トリミング領域が設定された前記画像の前記トリミング領域以外の部分に対して、前記トリミング画像の印刷画質に対応した情報を表示するように制御することを特徴とする請求項１に記載の画像編集装置。
【請求項３】
前記表示制御手段は、前記トリミング画像の印刷画質に対応した情報を、色の変化によって表示するように制御することを特徴とする請求項１または２に記載の画像編集装置。
【請求項４】
前記印刷解像度しきい値設定手段は、前記印刷装置が推奨する印刷解像度に基づいて、印刷解像度のしきい値を複数設定することを特徴とする請求項１〜３のいずれか一つに記載の画像編集装置。
【請求項５】
前記画質判断手段は、前記印刷解像度しきい値設定手段によって複数設定した印刷解像度のしきい値と、前記算出手段によって算出された印刷解像度とを比較することによって、前記トリミング画像の印刷画質を判断し、
前記表示制御手段は、前記トリミング領域が設定された前記画像とともに、前記画質判断手段によって判断された前記トリミング画像の印刷画質に対応した情報を表示するように制御することを特徴とする請求項４に記載の画像編集装置。
【請求項６】
前記トリミング領域が設定された前記画像の情報に基づいて、前記画像をトリミングしたトリミング画像を生成するトリミング画像生成手段と、
前記トリミング画像生成手段によって生成された前記トリミング画像を印刷するトリミング画像印刷手段と、
をさらに備えたことを特徴とする請求項１〜５のいずれか一つに記載の画像編集装置。
【請求項７】
印刷装置において印刷可能な複数のサイズの印刷用紙の中から、所望の画像のトリミング画像を印刷する際に用いるサイズの印刷用紙を選択する印刷用紙選択工程と、
前記画像に対して、前記印刷用紙選択工程によって選択されたサイズの前記印刷用紙に対応するサイズのトリミング領域を設定するトリミング領域設定工程と、
前記印刷装置が推奨する印刷解像度に基づいて、印刷する前記トリミング画像に対応する印刷解像度のしきい値を設定する印刷解像度しきい値設定工程と、
前記トリミング領域設定工程によって設定された前記トリミング領域に対応する印刷解像度を算出する算出工程と、
前記印刷解像度しきい値設定工程によって設定した印刷解像度のしきい値と、前記算出工程によって算出された印刷解像度とを比較することによって、前記トリミング画像の印刷画質を判断する画質判断工程と、
前記トリミング領域が設定された前記画像とともに、前記画質判断工程によって判断された前記トリミング画像の印刷画質に対応した情報を表示するように制御する表示制御工程と、
前記トリミング領域が設定された前記画像と、前記トリミング画像の印刷画質に対応した情報とを表示する表示工程と、
を含んだことを特徴とする画像編集方法。
【請求項８】
請求項７に記載の画像編集方法をコンピュータに実行させることを特徴とする画像編集プログラム。
【請求項９】
請求項８に記載の画像編集プログラムを記憶したことを特徴とするコンピュータに読み取り可能な記憶媒体。
【発明の詳細な説明】
【技術分野】
【０００１】
本発明は、トリミングされた画像を生成する、画像編集装置、画像編集方法、画像編集プログラム、および記憶媒体に関する。
【背景技術】
【０００２】
従来、例えば、デジタルカメラで撮影した画像データや、インターネットからダウンロードした画像データなどを、編集・加工して画面上に表示したり、印刷用紙などに印刷したりすることのできる画像編集装置がある。このような画像編集装置の中には、マウスを用いたドラッグ操作によって、画像の不要な部分を切り取ることができるトリミング機能を備えた画像編集装置がある（例えば、下記特許文献１参照。）。
【０００３】
【特許文献１】特開２００４−４０６３４号公報
【発明の開示】
【発明が解決しようとする課題】
【０００４】
しかしながら、上記の従来技術にあっては、トリミングされた画像（以下、「トリミング画像」と示す）の画像解像度が、プリンタなどの印刷装置が推奨する画像解像度を満たしているか否かを、トリミング領域を設定する操作（以下、「トリミング領域設定操作」と示す）を行っている最中に把握することができない。そのため、トリミング画像を印刷したときに所望の印刷解像度を有するトリミング画像を得られるか否かについては、トリミングを行ったその都度、トリミング画像を試しに印刷して、印刷されたトリミング画像によって判断しなければならない。その結果、所望の印刷解像度を有するトリミング画像を得るまでに、トリミング画像を繰り返し印刷しなければならず、手間や時間がかかったりするという問題が生じていた。
【０００５】
本発明は、上述した従来技術による問題点を解消するため、トリミング画像を印刷したときの印刷解像度が印刷装置が推奨する印刷解像度に対して適しているか否かを確認しながら、トリミング領域設定操作を行うことができる画像編集装置、画像編集方法、画像編集プログラム、および記憶媒体を提供することを目的とする。
【課題を解決するための手段】
【０００６】
上述した課題を解決し、目的を達成するため、この発明にかかる画像編集装置は、印刷装置において印刷可能な複数のサイズの印刷用紙の中から、所望の画像のトリミング画像を印刷する際に用いるサイズの印刷用紙を選択する印刷用紙選択手段と、前記画像に対して、前記印刷用紙選択手段によって選択されたサイズの前記印刷用紙に対応するサイズのトリミング領域を設定するトリミング領域設定手段と、前記印刷装置が推奨する印刷解像度に基づいて、印刷する前記トリミング画像に対応する印刷解像度のしきい値を設定する印刷解像度しきい値設定手段と、前記トリミング領域設定手段によって設定された前記トリミング領域に対応する印刷解像度を算出する算出手段と、前記印刷解像度しきい値設定手段によって設定した印刷解像度のしきい値と、前記算出手段によって算出された印刷解像度とを比較することによって、前記トリミング画像の印刷画質を判断する画質判断手段と、前記トリミング領域が設定された前記画像とともに、前記画質判断手段によって判断された前記トリミング画像の印刷画質に対応した情報を表示するように制御する表示制御手段と、前記トリミング領域が設定された前記画像と、前記トリミング画像の印刷画質に対応した情報とを表示する表示手段と、を備えたことを特徴とする。
【０００７】
この発明によれば、画像に対してトリミング領域を設定したその都度、トリミング領域の印刷解像度を算出して、印刷装置が推奨する印刷解像度に基づいてあらかじめ設定されている印刷解像度のしきい値と比較することによって、トリミング画像を印刷したときの印刷画質を判断することができる。そして、画像とともに画質に対応する情報を表示することができる。そのため、表示された画質に対応する情報によって視覚的・直感的にトリミング領域の印刷画質を判断することができる。その結果、ユーザは、簡単なトリミング領域の設定操作によって、トリミング領域の印刷画質を確認しながら、容易に印刷装置が推奨する印刷解像度を有する所望のトリミング画像を生成することができる。
【０００８】
また、この発明にかかる画像編集装置は、上記に記載の発明において、前記表示制御手段は、前記トリミング領域が設定された前記画像の前記トリミング領域以外の部分に対して、前記トリミング画像の印刷画質に対応した情報を表示するように制御することを特徴とする。
【０００９】
この発明によれば、画像に対してトリミング領域を設定したその都度、トリミング領域の印刷解像度を算出して、印刷装置が推奨する印刷解像度に基づいてあらかじめ設定されている印刷解像度のしきい値と比較することによって、トリミング画像を印刷したときの印刷画質を判断することができる。そして、画像とともに画質に対応する情報を、画像のトリミング領域以外の部分に表示することができる。そのため、画像のトリミング領域以外の部分に表示された画質に対応する情報によって視覚的・直感的にトリミング領域の印刷画質を判断することができる。その結果、ユーザは、簡単なトリミング領域の設定操作によって、画像から大きく視点をそらすことなく、トリミング領域の印刷画質を確認しながら、容易に印刷装置が推奨する印刷解像度を有する所望のトリミング画像を生成することができる。
【００１０】
また、この発明にかかる画像編集装置は、上記に記載の発明において、前記表示制御手段は、前記トリミング画像の印刷画質に対応した情報を、色の変化によって表示するように制御することを特徴とする。
【００１１】
この発明によれば、画像に対してトリミング領域を設定したその都度、トリミング領域の印刷解像度を算出して、印刷装置が推奨する印刷解像度に基づいてあらかじめ設定されている印刷解像度のしきい値と比較することによって、トリミング画像を印刷したときの印刷画質を判断することができる。そして、画像とともに画質に対応する情報を色の変化によって表示することができる。そのため、表示された画質に対応する情報の色の変化によって、視覚的・直感的にトリミング領域の印刷画質を判断することができる。その結果、ユーザは、簡単なトリミング領域の設定操作によって、トリミング領域の印刷画質を色の変化によって確認しながら、容易に印刷装置が推奨する印刷解像度を有する所望のトリミング画像を生成することができる。
【００１２】
また、この発明にかかる画像編集装置は、上記に記載の発明において、前記印刷解像度しきい値設定手段は、前記印刷装置が推奨する印刷解像度に基づいて、印刷解像度のしきい値を複数設定することを特徴とする。
【００１３】
この発明によれば、画像に対してトリミング領域を設定したその都度、トリミング領域の印刷解像度を算出して、印刷装置が推奨する印刷解像度に基づいてあらかじめ複数設定されている印刷解像度のしきい値と比較することによって、トリミング画像を印刷したときの印刷画質を判断することができる。そして、画像とともに画質に対応する情報を表示することができる。そのため、表示された画質に対応する情報によって視覚的・直感的にトリミング領域の印刷画質を判断することができる。その結果、ユーザは、簡単なトリミング領域の設定操作によって、トリミング領域の印刷画質を確認しながら、容易に印刷装置が推奨する印刷解像度を有する所望のトリミング画像を生成することができる。
【００１４】
また、この発明にかかる画像編集装置は、上記に記載の発明において、前記画質判断手段は、前記印刷解像度しきい値設定手段によって複数設定した印刷解像度のしきい値と、前記算出手段によって算出された印刷解像度とを比較することによって、前記トリミング画像の印刷画質を判断し、前記表示制御手段は、前記トリミング領域が設定された前記画像とともに、前記画質判断手段によって判断された前記トリミング画像の印刷画質に対応した情報を表示するように制御することを特徴とする。
【００１５】
この発明によれば、画像に対してトリミング領域を設定したその都度、トリミング領域の印刷解像度を算出して、印刷装置が推奨する印刷解像度に基づいてあらかじめ複数設定されている印刷解像度のしきい値と比較することによって、トリミング画像を印刷したときの印刷画質を判断することができる。そして、画像とともに画質に対応する情報を表示することができる。そのため、表示された画質に対応する情報によって視覚的・直感的にトリミング領域の印刷画質を判断することができる。その結果、ユーザは、簡単なトリミング領域の設定操作によって、トリミング領域の印刷画質を確認しながら、容易に印刷装置が推奨する印刷解像度を有する所望のトリミング画像を生成することができる。
【００１６】
また、この発明にかかる画像編集装置は、上記に記載の発明において、前記トリミング領域が設定された前記画像の情報に基づいて、前記画像をトリミングしたトリミング画像を生成するトリミング画像生成手段と、前記トリミング画像生成手段によって生成された前記トリミング画像を印刷するトリミング画像印刷手段と、をさらに備えたことを特徴とする。
【００１７】
この発明によれば、画像に対してトリミング領域を設定したその都度、トリミング領域の印刷解像度を算出して、印刷装置が推奨する印刷解像度に基づいてあらかじめ複数設定されている印刷解像度のしきい値と比較することによって、トリミング画像を印刷したときの印刷画質を判断することができる。そして、画像とともに画質に対応する情報を表示することができる。そのため、表示された画質に対応する情報によって視覚的・直感的にトリミング領域の印刷画質を判断することができる。その結果、ユーザは、簡単なトリミング領域の設定操作によって、トリミング領域の印刷画質を確認しながら、容易に印刷装置が推奨する印刷解像度を有する所望のトリミング画像を生成して、生成したトリミング画像を印刷することができる。
【００１８】
また、この発明にかかる画像編集方法は、印刷装置において印刷可能な複数のサイズの印刷用紙の中から、所望の画像のトリミング画像を印刷する際に用いるサイズの印刷用紙を選択する印刷用紙選択工程と、前記画像に対して、前記印刷用紙選択工程によって選択されたサイズの前記印刷用紙に対応するサイズのトリミング領域を設定するトリミング領域設定工程と、前記印刷装置が推奨する印刷解像度に基づいて、印刷する前記トリミング画像に対応する印刷解像度のしきい値を設定する印刷解像度しきい値設定工程と、前記トリミング領域設定工程によって設定された前記トリミング領域に対応する印刷解像度を算出する算出工程と、前記印刷解像度しきい値設定工程によって設定した印刷解像度のしきい値と、前記算出工程によって算出された印刷解像度とを比較することによって、前記トリミング画像の印刷画質を判断する画質判断工程と、前記トリミング領域が設定された前記画像とともに、前記画質判断工程によって判断された前記トリミング画像の印刷画質に対応した情報を表示するように制御する表示制御工程と、前記トリミング領域が設定された前記画像と、前記トリミング画像の印刷画質に対応した情報とを表示する表示工程と、を含んだことを特徴とする。
【００１９】
この発明によれば、画像に対してトリミング領域を設定したその都度、トリミング領域の印刷解像度を算出して、印刷装置が推奨する印刷解像度に基づいてあらかじめ複数設定されている印刷解像度のしきい値と比較することによって、トリミング画像を印刷したときの印刷画質を判断することができる。そして、画像とともに画質に対応する情報を表示することができる。そのため、表示された画質に対応する情報によって視覚的・直感的にトリミング領域の印刷画質を判断することができる。その結果、ユーザは、簡単なトリミング領域の設定操作によって、トリミング領域の印刷画質を確認しながら、容易に印刷装置が推奨する印刷解像度を有する所望のトリミング画像を生成することができる。
【００２０】
また、この発明にかかる画像編集プログラムは、上記に記載の画像編集方法をコンピュータに実行させることを特徴とする。
【００２１】
この発明によれば、画像編集プログラムを実行することにより、上述した画像編集方法によって得られる動作がコンピュータによって実現される。これにより、上述した画像編集方法の実現によって得られる各種効果を奏することができる。
【００２２】
また、この発明にかかる記憶媒体は、上記に記載の画像編集プログラムをコンピュータに読み取り可能に記憶したことを特徴とする。
【００２３】
この発明によれば、記憶された画像編集プログラムをコンピュータに読み取らせ、実行させることによって、上述した画像編集プログラムの実行によって得られる動作がコンピュータによって実現される。これにより、上述した画像編集プログラムの実行によって得られる各種効果を奏することができる。
【発明を実施するための最良の形態】
【００２４】
以下に添付図面を参照して、この発明にかかる画像編集装置、画像編集方法、画像編集プログラム、および記憶媒体の好適な実施の形態を詳細に説明する。
【００２５】
（画像編集装置１００の機能的構成）
図１は、本実施の形態における画像編集装置の機能的構成の一例を示すブロック図である。図１に示すように、本実施の形態における画像編集装置１００は、画像取得部１０１と、印刷用紙選択部１０２と、操作部１０３と、トリミング領域設定部１０４と、算出部１０５と、印刷解像度しきい値設定部１０６と、画質判断部１０７と、表示制御部１０８と、表示部１０９と、トリミング画像生成部１１０と、トリミング画像印刷部１１１と、を備えて構成されている。
【００２６】
画像取得部１０１は、トリミングの対象となる画像（以下、「トリミング対象画像」と示す）を取得する。画像取得部１０１は、例えば、後述するＨＤ２０５、ＦＤ２０７、ＣＤ／ＤＶＤディスク２１６や、Ｉ／Ｆ２０９を介して画像編集装置１００に接続されたパーソナル・コンピュータ、携帯情報端末（デジタルカメラ、ＰＤＡ（Ｐｅｒｓｏｎａｌ  Ｄｉｇｉｔａｌ  Ａｓｓｉｓｔａｎｔｓ）など）、小型データ記憶媒体（コンパクトフラッシュ（登録商標）、スマートメディア、ＳＤメモリーカード、マルチメディアカード（登録商標）、メモリースティック、ＵＳＢフラッシュメモリなど）など、種々の形態の記憶媒体からトリミング対象画像を取得することができる。画像取得部１０１が取得するトリミング対象画像は、上述した記憶媒体などに格納されている画像の中から、キーボード２１１やマウス２１２などを用いてユーザが行った操作によって選択される。なお、スキャナ２１３を介して印刷用紙などから画像を読み取ることによって、画像を取得するようにしてもよい。
【００２７】
印刷用紙選択部１０２は、画像編集装置１００によって印刷可能な印刷用紙の中から、トリミング画像の印刷に用いる印刷用紙を選択する。印刷用紙選択部１０２は、例えば、ＨＤ２０５に格納されている、プリンタ２１４を制御するための図示しないプリンタドライバなどから、画像編集装置１００によって印刷可能な印刷用紙を取得することができる。印刷用紙選択部１０２が選択する印刷用紙は、画像編集装置１００によって印刷可能な一つまたは複数の印刷用紙の中から、キーボード２１１やマウス２１２などを用いてユーザが行った操作によって選択される。印刷用紙には、例えば、用紙サイズ（Ａ４、Ｂ５、Ｌ判、ハガキなど）や、印刷方向（縦または横）などの情報が含まれる。
【００２８】
操作部１０３は、トリミング対象画像に対するトリミング領域設定操作を行う。操作部１０３は、例えば、本実施の形態においては、トリミング対象画像に対して、垂直方向（縦方向）および水平方向（横方向）のトリミング領域設定操作を行うことができる。操作部１０３は、マウス２１２などを用いてユーザが行ったドラッグ操作によってトリミング領域設定操作を行う。また、操作部１０３は、トリミング対象画像に対する終了、印刷、用紙変更などの操作を行う。上述したこれらの操作は、例えば、キーボード２１１やマウス２１２などを用いてユーザが行った操作によって実現される。
【００２９】
トリミング領域設定部１０４は、画像取得部１０１によって取得したトリミング対象画像に対してトリミング領域を設定する。トリミング領域設定部１０４は、例えば、操作部１０３によって行われたトリミング領域設定操作に基づいて、トリミング領域を設定する。また、トリミング領域設定部１０４は、例えば、ＲＯＭ２０２やＨＤ２０５に格納されているトリミングプログラムをＣＰＵ２０１を介して実行することによって、印刷用紙選択部１０２によって選択した印刷用紙に対応するトリミング領域を設定する。
【００３０】
算出部１０５は、トリミング領域設定部１０４によってトリミング対象画像に対して設定されたトリミング領域の印刷解像度を算出する。算出部１０５は、トリミング領域設定部１０４によって設定されたトリミング領域の解像度と、印刷用紙選択部１０２によって選択された印刷用紙の用紙サイズとに基づいて、トリミング領域の印刷解像度を算出する。例えば、印刷用紙としてＬ判縦（８９×１２７ｍｍ≒３．５×５ｉｎｃｈ）を選択したときの、トリミング領域設定部１０４によって設定されたトリミング領域の解像度が８４０×１２００（ピクセル）であった場合は、算出部１０５は、計算式「８４０÷３．５」もしくは、計算式「１２００÷５」によって印刷解像度として「２４０（ｄｐｉ（ｄｏｔｓ  ｐｅｒ  ｉｎｃｈ））」を算出する。
【００３１】
印刷解像度しきい値設定部１０６は、印刷するトリミング画像に対応する印刷解像度のしきい値（以下、「印刷解像度しきい値」と示す）を設定する。印刷解像度しきい値設定部１０６は、印刷解像度しきい値として、印刷装置（本実施の形態の場合は、プリンタ２１４）が推奨する印刷解像度に基づいて、ユーザが任意の値を設定することができる。印刷解像度しきい値設定部１０６が設定した印刷解像度しきい値は、トリミング領域を印刷したときの印刷解像度がどの画質（「最適」，「適」，「否」）に属するかを判断するための判断基準として用いるために、画質判断部１０７によって読み出される。
【００３２】
印刷解像度しきい値には、推奨印刷解像度しきい値と最低印刷解像度しきい値との２通りのしきい値を設定することができる。推奨印刷解像度しきい値には、印刷装置が推奨する印刷解像度に基づいて、高い画質を得るために最低限必要な解像度を設定することができる。最低印刷解像度しきい値には、印刷装置が推奨する印刷解像度に基づいて、良好な画質を得るために最低限必要な解像度を設定することができる。印刷解像度しきい値は、例えば、ユーザによって、印刷解像度しきい値を設定する画面から、キーボード２１１やマウス２１２などの操作によって設定され、ＨＤ２０５などの記録媒体に格納される。
【００３３】
なお、以降の説明において、トリミング領域の印刷解像度が推奨印刷解像度しきい値以上の場合の画質を「最適」と、トリミング領域の印刷解像度が推奨印刷解像度しきい値未満かつ最低印刷解像度しきい値以上の場合の画質を「適」と、トリミング領域の印刷解像度が最低印刷解像度しきい値未満の場合の画質を「否」とする。
【００３４】
画質判断部１０７は、トリミング領域設定部１０４によって設定されたトリミング領域の印刷解像度がどの画質（「最適」，「適」，「否」）に属するかを判断する。画質判断部１０７は、算出部１０５によって算出されたトリミング領域の印刷解像度と、印刷解像度しきい値設定部１０６によって設定された印刷解像度しきい値とに基づいて、トリミング領域の印刷解像度がどの画質（「最適」，「適」，「否」）に属するかを判断する。画質判断部１０７は、トリミング領域の印刷解像度が、推奨印刷解像度しきい値以上の場合に、印刷解像度の画質が「最適」に属すると判断する。また、画質判断部１０７は、トリミング領域の印刷解像度が、推奨印刷解像度しきい値未満かつ、最低印刷解像度しきい値以上の場合に、印刷解像度の画質が「適」に属すると判断する。さらに、画質判断部１０７は、トリミング領域の印刷解像度が、最低印刷解像度しきい値未満の場合に、印刷解像度の画質が「否」に属すると判断する。
【００３５】
表示制御部１０８は、トリミング領域設定部１０４によってトリミング領域が設定されたトリミング対象画像のトリミング領域以外の部分（以下、「空白部分」と示す）が所定の色で印されるように、トリミング対象画像の表示を制御する。表示制御部１０８は、画質判断部１０７によって判断された、トリミング対象画像のトリミング領域の印刷解像度がどの画質（「最適」，「適」，「否」）に属しているかの判断に基づいて、それぞれの画質に対応する所定の色をトリミング対象画像の空白部分が所定の色で印されるように、トリミング対象画像の表示を制御する。これによって、トリミング対象画像がディスプレイ２０８の画面上に表示されたときに、トリミング対象画像のトリミング領域の印刷解像度が、どの画質（「最適」，「適」，「否」）に属しているかをユーザが判断することができる。
【００３６】
このそれぞれの画質に対応する所定の色は、印刷解像度しきい値と同様に、ユーザによって、印刷解像度しきい値を設定する画面から、キーボード２１１やマウス２１２などの操作によってあらかじめ設定され、ＨＤ２０５などの記録媒体に格納される。所定の色で印されるトリミング対象画像の空白部分は、画像取得部１０１によって取得したトリミング対象画像の横幅と縦幅の比率（以下、「アスペクト比」と示す）と、印刷用紙選択部１０２によって選択された印刷用紙のアスペクト比の差異によって生じる。
【００３７】
なお、トリミング対象画像のアスペクト比と、印刷用紙のアスペクト比が同一の場合は、空白部分が生じない。この場合、表示制御部１０８は、別途、上述したそれぞれの画質に対応する色が印された画像や文字などを生成して、トリミング対象画像とともに画面に表示するように制御する。この場合においても、トリミング対象画像がディスプレイ２０８の画面上に表示されたときに、トリミング対象画像のトリミング領域の印刷解像度が、どの画質（「最適」，「適」，「否」）に属しているかをユーザが判断することができる。
【００３８】
表示部１０９は、表示制御部１０８によって空白部分が所定の色に印されるように制御されたトリミング対象画像をディスプレイ２０８の画面上に表示する。また、表示部１０９は、トリミング対象画像の解像度がディスプレイ２０８の解像度よりも大きいと判断した場合は、トリミング対象画像のアスペクト比を維持した状態のままディスプレイ２０８の画面内に収まる最大の大きさとなるまで縮小されたトリミング対象画像を生成して、生成したトリミング対象画像をディスプレイ２０８の画面上に表示する。本実施の形態においては、画面の解像度が「１６００×１６００（ピクセル）」のディスプレイ２０８を用いている。表示部１０９は、例えば、ＲＯＭ２０２に格納されている、ディスプレイ２０８を制御するための図示しないディスプレイドライバなどから、ディスプレイ２０８の解像度を取得することができる。
【００３９】
トリミング画像生成部１１０は、トリミング領域設定部１０４によってトリミング領域が設定されたトリミング対象画像のトリミング領域の情報に基づいて、トリミング対象画像がトリミングされたトリミング画像を生成する。
【００４０】
トリミング画像印刷部１１１は、トリミング画像生成部１１０によって生成されたトリミング画像を、プリンタ２１４を介して印刷用紙などに印刷する。
【００４１】
（画像編集装置１００のハードウェア構成）
図２は、本実施の形態における画像編集装置のハードウェア構成の一例を示すブロック図である。なお、以降において、既に説明した部分と重複する箇所は同一の符号を附して説明を省略する。本実施の形態における画像編集装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ＨＤＤ（Ｈａｒｄ  Ｄｉｓｃ  Ｄｒｉｖｅ）２０４と、ＨＤ（Ｈａｒｄ  Ｄｉｓｃ）２０５と、ＦＤＤ（Ｆｌｅｘｉｂｌｅ  Ｄｉｓｃ  Ｄｒｉｖｅ）２０６と、ＦＤ（Ｆｌｅｘｉｂｌｅ  Ｄｉｓｃ）２０７と、ディスプレイ２０８と、インタフェース（Ｉ／Ｆ）２０９と、通信ケーブル２１０と、キーボード２１１と、マウス２１２と、スキャナ２１３と、プリンタ２１４と、ディスクドライブ２１５と、ＣＤ／ＤＶＤディスク２１６とを備えて構成されており、各構成部はバス２１７によってそれぞれ接続されている。
【００４２】
ＣＰＵ２０１は、所定の演算処理を実行し、この画像編集装置１００の全体を制御する。ＲＯＭ２０２は、各種制御プログラムなどを格納する。ＲＯＭ２０２に格納されたデータは、ユーザの操作によって書き換えることが可能ではあるが、電源ＯＦＦによって消去されないものである。ＲＡＭ２０３は、可変的なデータを書き換え自在に記憶し、ＣＰＵ２０１のワークエリアとして機能する。ＲＡＭ２０３は、電源ＯＦＦによって記憶されたデータが消去される揮発性のメモリであってもよいし、バッテリなどによってバックアップされることによる不揮発性のメモリとしてもよい。
【００４３】
ＨＤＤ２０４はＣＰＵ２０１の制御命令に従って、ＨＤ２０５に対するデータの読み取り／書き込みの制御を行う。ＨＤ２０５は、各種制御プログラムや各種データを、例えばＣＰＵ２０１に読み取り可能に記録する。ＨＤ２０５は、ＨＤＤ２０４による情報の書き込みを受け付けるとともに、書き込まれたデータを不揮発に記録する。ＦＤＤ２０６はＣＰＵ２０１の制御命令に従って、ＦＤ２０７に対するデータの読み取り／書き込みの制御を行う。ＦＤ２０７は、各種制御プログラムや各種データを、例えばＣＰＵ２０１に読み取り可能に記録する。ＦＤ２０７は、ＦＤＤ２０６による情報の書き込みを受け付けるとともに、書き込まれたデータを不揮発に記録する着脱自在な記録媒体である。
【００４４】
ディスプレイ２０８は、例えばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどのディスプレイ装置によって構成される。ディスプレイ２０８には、アイコン、カーソル、メニュー、ウィンドウ、あるいは文字や画像などの各種情報が表示される。
【００４５】
Ｉ／Ｆ２０９は、通信ケーブル２１０を介してＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワーク１１０に接続され、ネットワーク１１０と画像編集装置１００とのインタフェースとして機能し、画像編集装置１００に対するデータの入出力を制御する。
【００４６】
キーボード２１１は、文字、数字、各種指示などの入力のためのキーを備え、データの入力を行う。また、タッチパネル式の入力パッドやテンキーなどであってもよい。マウス２１２は、カーソルの移動や範囲選択、あるいはウィンドウの移動やサイズの変更などを行う。ポインティングデバイスとして同様に機能を備えるものであれば、トラックボールやジョイスティックなどであってもよい。
【００４７】
スキャナ２１３は、印刷用紙などに印刷されている画像を光学的に読み取り、画像編集装置１００の内部に画像データを取り込む。プリンタ２１４は、画像や文書などの印刷データを印刷用紙などに印刷する。プリンタ２１４には、例えば、レーザプリンタやインクジェットプリンタを採用することができる。ディスクドライブ２１５はＣＰＵ２０１の制御命令に従って、ＣＤ／ＤＶＤディスク２１６に対するデータの読み取り／書き込みの制御を行う。
【００４８】
ＣＤ／ＤＶＤディスク２１６は、各種制御プログラムや各種データを、例えばＣＰＵ２０１に読み取り可能に記録する。ＣＤ／ＤＶＤディスク２１６は、ディスクドライブ２１５による情報の書き込みを受け付けるとともに、書き込まれたデータを不揮発に記録する着脱自在な記録媒体である。
【００４９】
トリミング対象画像が格納されている記憶媒体としては、例えば、上述したＨＤ２０５、ＦＤ２０７、ＣＤ／ＤＶＤディスク２１６や、Ｉ／Ｆ２０９を介して画像編集装置１００に接続されたパーソナル・コンピュータ、携帯情報端末（デジタルカメラ、携帯電話、ＰＤＡ（Ｐｅｒｓｏｎａｌ  Ｄｉｇｉｔａｌ  Ａｓｓｉｓｔａｎｔｓ）など）、小型データ記憶媒体（コンパクトフラッシュ（登録商標）、スマートメディア、ＳＤメモリーカード、マルチメディアカード（登録商標）、メモリースティック、ＵＳＢフラッシュメモリなど）など、種々の形態のものを利用することができる。
【００５０】
なお、本実施の形態にかかる画像編集装置１００の機能的構成は、例えば、画像取得部１０１と、印刷用紙選択部１０２と、操作部１０３は、キーボード２１１およびマウス２１２が、トリミング領域設定部１０４と、算出部１０５と、印刷解像度しきい値設定部１０６と、画質判断部１０７と、表示制御部１０８と、トリミング画像生成部１１０は、ＣＰＵ２０１が、表示部１０９は、ディスプレイ２０８が、トリミング画像印刷部１１１は、プリンタ２１４が、それぞれその機能を実現する。
【００５１】
さらに、この発明にかかる画像編集装置は、上述したハードウェア構成を備えた画像編集装置１００に限らず、図１を用いて上述した各機能を実現することができるものであれば、例えば、プリンタ単体、複合機単体、携帯情報端末（デジタルカメラ、携帯電話、ＰＤＡなど）とプリンタの組み合わせなどによって構成されているものであっても良い。
【００５２】
（画像編集装置１００の印刷処理手順）
図３は、本実施の形態における画像編集装置による画像編集処理手順の一例を示すフローチャートである。以下、本実施の形態における画像編集処理手順について図３を用いて説明する。
【００５３】
まず、画像取得部１０１によって、トリミング対象画像を取得する（ステップＳ３０１）。なお、トリミング対象画像の一例については図４を用いて後述する。
【００５４】
次に、印刷用紙選択部１０２によって、画像編集装置１００によって印刷可能な印刷用紙の中から、トリミング画像の印刷に用いる印刷用紙を選択する（ステップＳ３０２）。
【００５５】
次に、トリミング領域設定部１０４によって、ステップＳ３０１で取得したトリミング対象画像に対してトリミング領域を設定する（ステップＳ３０３）。本実施の形態においては、ユーザによって繰り返しトリミング領域設定操作が行われた場合には、ステップＳ３０３の処理が繰り返し行われることになる。このとき、ユーザのトリミング領域設定操作が関与しない初回のトリミング領域設定処理に限っては、ステップＳ３０２で選択された印刷用紙のアスペクト比を維持したまま、ステップＳ３０１で取得したトリミング対象画像に収まる最大限の大きさのトリミング領域を設定する。また、ユーザによって用紙変更操作が行われた場合も同様に、ステップＳ３０２で新たに選択された印刷用紙のアスペクト比を維持したまま、ステップＳ３０１で取得したトリミング対象画像に収まる最大限の大きさのトリミング領域を設定する。なお、トリミング領域が設定されたトリミング対象画像の一例については図５を用いて後述する。
【００５６】
次に、算出部１０５によって、ステップＳ３０３でトリミング対象画像に対して設定されたトリミング領域の印刷解像度を算出する（ステップＳ３０４）。
【００５７】
次に、印刷解像度しきい値設定部１０６によって、印刷するトリミング画像に対応する印刷解像度しきい値を設定する（ステップＳ３０５）。印刷解像度しきい値設定部１０６は、推奨印刷解像度しきい値と最低印刷解像度しきい値との２通りの印刷解像度しきい値を設定する。なお、印刷解像度しきい値を設定する画面の一例については図６を用いて後述する。
【００５８】
次に、画質判断部１０７によって、ステップＳ３０３でトリミング対象画像に対して設定されたトリミング領域の印刷解像度の画質が「否」に属するか否かを判断する（ステップＳ３０６）。画質判断部１０７は、トリミング領域の印刷解像度が、最低印刷解像度しきい値未満の場合に、印刷解像度の画質が「否」に属すると判断する。
【００５９】
ステップＳ３０６において、トリミング領域の印刷解像度の画質が「否」に属すると判断した場合は（ステップＳ３０６：Ｙｅｓ）、表示制御部１０８によって、トリミング対象画像の空白部分が赤色で印されるようにトリミング対象画像の表示を制御し（ステップＳ３０７）、ステップＳ３０８〜ステップＳ３１０を飛ばして、次のステップＳ３１１へ進む。ステップＳ３０６において、トリミング領域の印刷解像度の画質が「否」に属さないと判断した場合は（ステップＳ３０６：Ｎｏ）、次のステップＳ３０８へ進む。
【００６０】
次に、画質判断部１０７によって、ステップＳ３０３でトリミング対象画像に対して設定されたトリミング領域の印刷解像度の画質が「適」に属するか否かを判断する（ステップＳ３０８）。画質判断部１０７は、トリミング領域の印刷解像度が、推奨印刷解像度しきい値未満かつ、最低印刷解像度しきい値以上の場合に、印刷解像度の画質が「適」に属すると判断する。
【００６１】
ステップＳ３０８において、トリミング領域の印刷解像度の画質が「適」に属すると判断した場合は（ステップＳ３０８：Ｙｅｓ）、表示制御部１０８によって、トリミング対象画像の空白部分がむらさき色で印されるようにトリミング対象画像の表示を制御し（ステップＳ３０９）、ステップＳ３１０を飛ばして、次のステップＳ３１１へ進む。ステップＳ３０８において、トリミング領域の印刷解像度の画質が「適」に属さない（すなわち、トリミング領域の印刷解像度の画質が「最適」に属する）と判断した場合は（ステップＳ３０８：Ｎｏ）、表示制御部１０８によって、トリミング対象画像の空白部分が青色で印されるようにトリミング対象画像の表示を制御し（ステップＳ３１０）、次のステップＳ３１１へ進む。なお、印刷解像度が推奨印刷解像度しきい値より高いトリミング領域の一例については図７を、印刷解像度が最低印刷解像度しきい値より低いトリミング領域の一例については図８を、印刷解像度が推奨印刷解像度しきい値より低いトリミング領域の一例については図９を、それぞれ用いて後述する。
【００６２】
次に、表示部１０９によって、トリミング対象画像をディスプレイ２０８の画面上に表示する（ステップＳ３１１）。ここで、表示部１０９は、トリミング対象画像の解像度がディスプレイ２０８の解像度よりも大きい場合は、トリミング対象画像のアスペクト比を維持した状態のままディスプレイ２０８の画面内に収まる最大の大きさとなるまで縮小されたトリミング対象画像を生成して、生成したトリミング対象画像をディスプレイ２０８の画面上に表示する。なお、ディスプレイ２０８の画面上に表示されたトリミング対象画像の一例については図１０を、ディスプレイ２０８以外の画面上に表示されたトリミング対象画像の一例については図１１を用いて後述する。
【００６３】
次に、操作部１０３によって、トリミング対象画像に対する操作を行う（ステップＳ３１２）。トリミング対象画像に対する操作には、「トリミング枠移動」、「終了」、「印刷」、「トリミング領域設定」、「用紙変更」、「それ以外」の６パターンの操作が用意されている。上述したこれらの操作は、例えば、キーボード２１１やマウス２１２などを用いてユーザが行った操作によっていずれかが実行される。本実施の形態においては、操作部１０３によって、上述したトリミング対象画像に対する操作が行われるまで、次の処理を行わずに待機する。
【００６４】
次に、操作部１０３によって、ステップＳ３１２で行われたトリミング対象画像に対する操作が移動操作か否かを判断する（ステップＳ３１３）。ステップＳ３１３において、ステップＳ３１２で行われたトリミング対象画像に対する操作が移動操作であると判断した場合は（ステップＳ３１３：Ｙｅｓ）、トリミング対象画像に設定されているトリミング領域を移動して（ステップＳ３１４）、ステップＳ３１２に戻り、再びトリミング対象画像に対する操作が行われるまで待機する。トリミング領域は、サイズはそのままに、トリミング領域がトリミング対象画像からはみ出さない範囲で上下左右方向に自在に移動することができる。トリミング領域を移動することによってトリミング領域の中心を移動することができる。ステップＳ３１３において、ステップＳ３１２で行われたトリミング対象画像に対する操作が移動操作ではないと判断した場合は（ステップＳ３１３：Ｎｏ）、次のステップＳ３１５へ進む。
【００６５】
次に、操作部１０３によって、ステップＳ３１２で行われたトリミング対象画像に対する操作が終了操作か否かを判断する（ステップＳ３１５）。ステップＳ３１５において、ステップＳ３１２で行われたトリミング対象画像に対する操作が終了操作であると判断した場合は（ステップＳ３１５：Ｙｅｓ）、ステップＳ３１６〜ステップＳ３２０を飛ばして一連の処理を終了する。ステップＳ３１５において、ステップＳ３１２で行われたトリミング対象画像に対する操作が終了操作ではないと判断した場合は（ステップＳ３１５：Ｎｏ）、次のステップＳ３１６へ進む。
【００６６】
次に、操作部１０３によって、ステップＳ３１２で行われたトリミング対象画像に対する操作が印刷操作か否かを判断する（ステップＳ３１６）。ステップＳ３１６において、ステップＳ３１２で行われたトリミング対象画像に対する操作が印刷操作であると判断した場合は（ステップＳ３１６：Ｙｅｓ）、トリミング画像生成部１１０によって、ステップＳ３０３でトリミング領域が設定されたトリミング対象画像のトリミング領域の情報に基づいて、トリミング対象画像がトリミングされたトリミング画像を生成する（ステップＳ３１７）。そして、トリミング画像印刷部１１１によって、ステップＳ３０２で選択した印刷用紙にステップＳ３１７で生成されたトリミング画像を印刷して（ステップＳ３１８）、ステップＳ３１９およびステップＳ３２０を飛ばして一連の処理を終了する。なお、印刷用紙に印刷されたトリミング画像の一例については図１２を用いて後述する。ステップＳ３１６において、ステップＳ３１２で行われたトリミング対象画像に対する操作が印刷操作ではないと判断した場合は（ステップＳ３１６：Ｎｏ）、次のステップＳ３１９へ進む。
【００６７】
次に、操作部１０３によって、ステップＳ３１２で行われたトリミング対象画像に対する操作がトリミング領域設定操作か否かを判断する（ステップＳ３１９）。ステップＳ３１９において、ステップＳ３１２で行われたトリミング対象画像に対する操作がトリミング領域設定操作であると判断した場合は（ステップＳ３１９：Ｙｅｓ）、ステップＳ３０３に戻って、トリミング領域設定操作に基づいたトリミング領域をトリミング対象画像に対してあらたに設定する。そして、上述したステップＳ３０４以降の処理を再度行う。ステップＳ３１９において、ステップＳ３１２で行われたトリミング対象画像に対する操作がトリミング領域設定操作ではないと判断した場合は（ステップＳ３１９：Ｎｏ）、次のステップＳ３２０へ進む。
【００６８】
次に、操作部１０３によって、ステップＳ３１２で行われたトリミング対象画像に対する操作が用紙変更操作か否かを判断する（ステップＳ３２０）。ステップＳ３１９において、ステップＳ３１２で行われたトリミング対象画像に対する操作が用紙変更操作であると判断した場合は（ステップＳ３２０：Ｙｅｓ）、ステップＳ３０２に戻って、用紙変更操作に基づいて、トリミング画像の印刷に用いる印刷用紙をあらたに選択する。そして、上述したステップＳ３０３以降の処理を再度行う。ステップＳ３２０において、ステップＳ３１２で行われたトリミング対象画像に対する操作が用紙変更操作ではないと判断した場合は（ステップＳ３２０：Ｎｏ）、ステップＳ３１２に戻り、再びトリミング対象画像に対する操作が行われるまで待機する。
【００６９】
図４は、トリミング対象画像の一例を示す図である。図４に示すように、画像４００は、ＪＰＥＧ形式で圧縮された画像データである。また、画像４００は、「１６００×１２００（ピクセル）」の解像度を有する。画像４００は、トリミング画像の生成に用いられるために、画像取得部１０１によって、画像４００を格納する記憶媒体から取得される。
【００７０】
図５は、トリミング領域が設定されたトリミング対象画像の一例を示す図である。図５に示すように、画像５００は、画像４００と、枠５１０とによって構成されているトリミング対象画像である。画像４００は、図４を用いて上述したように、画像取得部１０１によって取得された、「１６００×１２００（ピクセル）」の解像度を有する画像データである。枠５１０は、画像４００に対するトリミング領域の範囲指定をするためのトリミング枠である。画像４００のうち、枠５１０によって囲まれている部分（４００ａ）がトリミング領域であり、印刷の対象となる。また、画像４００のうち、枠５１０によって囲まれている部分の外側の部分（４００ｂ）が空白部分である。
【００７１】
枠５１０は、印刷用紙選択部１０２によって選択された印刷用紙「Ｌ判縦」のアスペクト比（８９：１２７）を有する。枠５１０は、アスペクト比（８９：１２７）を維持しながら、画像４００が収まる最大限のサイズを有する。枠５１０の縦のサイズは、画像４００と同じ「１２００（ピクセル）」を有する。枠５１０の横のサイズは、「８４０（計算式「１２００×８９÷１２７」によって算出）（ピクセル）」を有する。よって、画像４００のトリミング領域（４００ａ）の解像度は「８４０×１２００（ピクセル）」となる。
【００７２】
図６は、印刷解像度しきい値を設定する画面の一例を示す図である。図６に示すように、画面６００は、しきい値設定欄６１０，６２０と、色選択欄６３０，６４０，６５０と、設定ボタン６６０とによって構成されている。
【００７３】
しきい値設定欄６１０は、推奨印刷解像度しきい値を設定するために設けられており、しきい値表示欄６１１と、上ボタン６１２と、下ボタン６１３とによって構成されている。しきい値表示欄６１１には、設定する推奨印刷解像度しきい値が表示され、上ボタン６１２および下ボタン６１３を押下することによって、設定する推奨印刷解像度しきい値を増減することができる。
【００７４】
しきい値設定欄６２０は、最低印刷解像度しきい値を設定するために設けられており、しきい値表示欄６２１と、上ボタン６２２と、下ボタン６２３とによって構成されている。しきい値表示欄６２１には、設定する最低印刷解像度しきい値が表示され、上ボタン６２２および下ボタン６２３を押下することによって、設定する最低印刷解像度しきい値を増減することができる。
【００７５】
色選択欄６３０は、トリミング領域の印刷解像度が推奨印刷解像度しきい値よりも高い場合（印刷解像度の画質が「最適」に属する場合）に、トリミング対象画像の空白部分に印す色を設定するために設けられており、色表示欄６３１とリスト表示ボタン６３２とによって構成されている。色表示欄６３１には、設定する色が表示される。リスト表示ボタン６３２を押下することによって、設定可能な色の一覧を表示することができる。そして、この一覧の中から任意の色を選択することによって、設定する色を変更することができる。
【００７６】
色選択欄６４０は、トリミング領域の印刷解像度が推奨印刷解像度しきい値よりも低く、トリミング領域の印刷解像度が最低印刷解像度しきい値よりも高い場合（印刷解像度の画質が「適」に属する場合）に、トリミング対象画像の空白部分に印す色を設定するために設けられており、色表示欄６４１とリスト表示ボタン６４２とによって構成されている。色表示欄６４１には、設定する色が表示されている。リスト表示ボタン６４２を押下することによって設定可能な色の一覧を表示することができる。そして、この一覧の中から任意の色を選択することによって、設定する色を変更することができる。
【００７７】
色選択欄６５０は、トリミング領域の印刷解像度が最低印刷解像度しきい値よりも低い場合（印刷解像度の画質が「否」に属する場合）に、トリミング対象画像の空白部分に印す色を設定するために設けられており、色表示欄６５１とリスト表示ボタン６５２とによって構成されている。色表示欄６５１には、設定する色が表示されている。リスト表示ボタン６５２を押下することによって設定可能な色の一覧を表示することができる。そして、この一覧の中から任意の色を選択することによって、設定する色を変更することができる。設定ボタン６６０は、上述した設定を有効化する場合に押下する。
【００７８】
例えば、図６に示す設定によって印刷解像度しきい値が設定された場合、トリミング領域の印刷解像度が「２００（ｄｐｉ）」以上の場合には、画質判断部１０７によって、印刷解像度の画質が「最適」と判断され、表示制御部１０８は、トリミング対象画像の空白部分が青色で印されるようにトリミング対象画像の表示を制御することを示す。また、トリミング画像の印刷解像度が「２００（ｄｐｉ）」未満かつ、トリミング画像の印刷解像度が「１５０（ｄｐｉ）」以上の場合には、画質判断部１０７によって、印刷解像度の画質が「適」と判断され、表示制御部１０８は、トリミング画像の空白部分がむらさき色で印されるようにトリミング対象画像の表示を制御することを示す。さらに、トリミング画像の印刷解像度が「１５０（ｄｐｉ）」未満の場合には、画質判断部１０７によって、印刷解像度の画質が「否」と判断され、表示制御部１０８は、トリミング画像の空白部分が赤色で印されるようにトリミング対象画像の表示を制御することを示す。
【００７９】
図７は、印刷解像度が推奨印刷解像度しきい値より高いトリミング領域の一例を示す図である。図７に示すように、画像７００は、図５を用いて上述した画面５００から、表示制御部１０８によって、画像４００の空白部分（４００ｂ）が青色に印されたものである。
【００８０】
画像７００において、画像４００の印刷の対象となる部分（４００ａ）の解像度は、「８４０×１２００（ピクセル）」である。この、画像４００のトリミング領域（４００ａ）を印刷するときの印刷用紙として、すでに、「Ｌ判縦」（８９×１２７ｍｍ≒３．５×５ｉｎｃｈ）が選択されているので、算出部１０５は、計算式「８４０÷３．５」もしくは、計算式「１２００÷５」によって印刷解像度として「２４０（ｄｐｉ）」を算出する。この印刷解像度「２４０（ｄｐｉ）」と、図６を用いて上述した設定とに基づいて、画質判断部１０７は、印刷解像度が推奨印刷解像度しきい値より高い（印刷解像度の画質が「最適」に属する）と判断する。そして、この判断に基づいて、表示制御部１０８によって、画像４００の空白部分（４００ｂ）が青色で印されている。
【００８１】
図８は、印刷解像度が最低印刷解像度しきい値より低いトリミング領域の一例を示す図である。図８に示すように、画像８００は、図５を用いて上述した画面５００から、ユーザのトリミング領域設定操作によって、画像４００のトリミング領域（４００ａ）のサイズが縦幅と横幅のいずれも半分のサイズ（「４２０×６００（ピクセル）」）となるようにトリミングされたものである。そして表示制御部１０８によって、画像４００の空白部分（４００ｂ）が赤色に印されたものである。
【００８２】
画像８００において、画像４００のトリミング領域（４００ａ）の解像度は、「４２０×６００（ピクセル）」である。この、画像４００のトリミング領域（４００ａ）を印刷するときの印刷用紙として、すでに、「Ｌ判縦」（８９×１２７ｍｍ≒３．５×５ｉｎｃｈ）が選択されているので、算出部１０５は、計算式「４２０÷３．５」もしくは、計算式「６００÷５」によって印刷解像度として「１２０（ｄｐｉ）」を算出する。この印刷解像度「１２０（ｄｐｉ）」と、図６を用いて上述した設定とに基づいて、画質判断部１０７は、印刷解像度が最低印刷解像度しきい値より低い（印刷解像度の画質が「否」に属する）と判断する。そして、この判断に基づいて、表示制御部１０８によって、画像４００の空白部分（４００ｂ）が赤色で印されている。
【００８３】
図９は、印刷解像度が推奨印刷解像度しきい値より低いトリミング領域の一例を示す図である。図９に示すように、画像９００は、図５を用いて上述した画面５００から、ユーザのトリミング領域設定操作によって、画像４００のトリミング領域（４００ａ）のサイズが縦幅と横幅のいずれも４分の３のサイズ（「６３０×９００（ピクセル）」）となるようにトリミングされたものである。そして表示制御部１０８によって、画像４００の空白部分（４００ｂ）がむらさき色に印されたものである。
【００８４】
画像９００において、画像４００のトリミング領域（４００ａ）の解像度は、「６３０×９００（ピクセル）」である。この、画像４００のトリミング領域（４００ａ）を印刷するときの印刷用紙として、すでに、「Ｌ判縦」（８９×１２７ｍｍ≒３．５×５ｉｎｃｈ）が選択されているので、算出部１０５は、計算式「６３０÷３．５」もしくは、計算式「９００÷５」によって印刷解像度として「１８０（ｄｐｉ）」を算出する。この印刷解像度「１８０（ｄｐｉ）」と、図６を用いて上述した設定とに基づいて、画質判断部１０７は、印刷解像度が推奨印刷解像度しきい値より低くかつ、印刷解像度が最低印刷解像度しきい値より高い（印刷解像度の画質が「適」に属する）と判断する。そして、この判断に基づいて、表示制御部１０８によって、画像４００の空白部分（４００ｂ）がむらさき色で印されている。
【００８５】
図１０は、ディスプレイ２０８の画面上に表示されたトリミング対象画像の一例を示す図である。図１０に示すように、画面１０００は、図７を用いて上述した画像７００と、非表示部分１０１０とによって構成されており、「１６００×１６００（ピクセル）」の解像度を有する。画像７００の解像度は、「１６００×１２００（ピクセル）」であり、画面１０００の解像度は、「１６００×１６００（ピクセル）」であるため、画像７００は縮小されることなく画面１０００上に表示されている。非表示部分１０１０は、画面１０００の解像度と、画像７００の解像度との差異によって生じている。
【００８６】
図１１は、ディスプレイ２０８以外の画面上に表示されたトリミング対象画像の一例を示す図である。図１１に示すように、画面１１００は、図７を用いて上述した画像７００と、非表示部分１１１０とによって構成されており、「８００×８００（ピクセル）」の解像度を有する。画像７００の解像度は、「１６００×１２００（ピクセル）」であり、画面１１００の解像度は、「８００×８００（ピクセル）」であるため、画像７００は、アスペクト比を維持しながら画面１１００に収まる最大のサイズである「８００×６００（ピクセル）」に縮小されている。そして縮小された画像７００が、画面１１００上に表示されている。非表示部分１１１０は、画面１１００の解像度と、画像７００の解像度との差異によって生じている。ここで、画面１１００上に表示されている画像７００はあくまでも画面表示上縮小されたものであり、印刷の際には、縮小する以前の画像７００が用いられる。
【００８７】
図１２は、印刷用紙に印刷されたトリミング画像の一例を示す図である。図１２に示すように、用紙１２００には、図７を用いて上述した画像７００のうち、画像４００のトリミング領域（４００ａ）が印刷されている。用紙１２００は、印刷用紙選択部１０２によって選択された印刷用紙であり、「Ｌ判縦」（８９×１２７ｍｍ≒３．５×５ｉｎｃｈ）のサイズを有する。
【００８８】
このように、本実施の形態によれば、トリミング対象画像に対してトリミング領域設定操作を行ったその都度、トリミング領域に対応する印刷解像度が、どの画質（「最適」，「適」，「否」）に属するかを判断して、トリミング対象画像の空白部分がそれぞれの画質に対応する色で印されたトリミング対象画像をディスプレイ２０８の画面上に表示することができる。そして、ディスプレイ２０８の画面上に表示されたトリミング対象画像の空白部分に印された色によって視覚的・直感的にトリミング画像の印刷解像度がどの画質に属するかを判断することができる。その結果、ユーザは、簡単なトリミング領域設定操作によって、トリミングの印刷解像度がどの画質に属するかを確認しながら、容易に印刷装置が推奨する印刷解像度を有する所望のトリミング画像を生成して、生成したトリミング画像を印刷することができる。
【００８９】
なお、本実施の形態においては、トリミング領域の印刷解像度の画質を「最適」，「適」，「否」の３段階に判断し、トリミング対象画像の空白部分をそれぞれの画質に対応する所定の色で印す構成としたが、例えば、それぞれの画質の範囲内であっても、トリミング対象画像の空白部分を印す色の濃淡や、隣接する画質に対応する色との混合比率などを変更することによって、さらに画質の度合いを識別することができるようにしてもよい。例えば、画質が「最適」よりの「適」であれば、トリミング対象画像の空白部分を、より青色を増したむらさき色で印すようにしてもよい。逆に、「否」よりの「適」であれば、トリミング対象画像の空白部分を、より赤色を増したむらさき色で印すようにしてもよい。
【００９０】
さらに、本実施の形態においては、トリミング領域の印刷解像度の画質を「最適」，「適」，「否」の３段階に判断し、トリミング対象画像の空白部分をそれぞれの画質に対応する所定の色で印す構成としたが、例えば、画質を「適」，「否」の２段階に判断する構成や、画質をさらに細分化することによって４段階以上に判断する構成としてもよい。
【００９１】
さらに、本実施の形態においては、トリミング領域の印刷解像度の画質を「最適」，「適」，「否」の３段階に判断し、トリミング対象画像の空白部分をそれぞれの画質に対応する所定の色で印す構成としたが、例えば、それぞれの画質に対応する記号，文字，画像や、画質の度合いを表すグラフなど、画質を容易に判断できるものをトリミング対象画像とともにディスプレイ２０８の画面上に表示するようにしてもよい。
【００９２】
さらに、本実施の形態においては、図６を用いて上述した印刷解像度しきい値を設定する画面６００から、ユーザによって印刷解像度しきい値やトリミング対象画像の空白部分を印す色を設定する構成としたが、例えば、プリンタ２１４を制御するためのプリンタドライバなどにあらかじめ設定されていてもよい。また、例えば、画像編集装置１００が複数のプリンタ２１４を備える場合は、プリンタ２１４ごとに設定できるようにしても、複数のプリンタ２１４で一つ設定できるようにしてもよい。さらに、例えば、印刷用紙のサイズ（例えば、Ａ４、Ｂ５、Ｌ判など）ごとに印刷解像度しきい値を設定できるようにしても、印刷用紙の種別（例えば、普通紙、厚紙、光沢紙、ＯＨＰ（Ｏｖｅｒ  Ｈｅａｄ  Ｐｒｏｊｅｃｔｏｒ）シートなど）ごとに印刷解像度しきい値を設定できるようにしてもよい。
【００９３】
なお、本実施の形態で説明した画像編集方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９４】
【図１】画像編集装置の機能的構成の一例を示すブロック図。
【図２】画像編集装置のハードウェア構成の一例を示すブロック図。
【図３】画像編集処理手順の一例を示すフローチャート。
【図４】トリミング対象画像の一例を示す図。
【図５】トリミング領域が設定されたトリミング対象画像の一例を示す図。
【図６】印刷解像度しきい値を設定する画面の一例を示す図。
【図７】推奨印刷解像度しきい値より高いトリミング領域の一例を示す図。
【図８】最低印刷解像度しきい値より低いトリミング領域の一例を示す図。
【図９】推奨印刷解像度しきい値より低いトリミング領域の一例を示す図。
【図１０】画面上に表示されたトリミング対象画像の一例を示す図。
【図１１】画面上に表示されたトリミング対象画像の一例を示す図。
【図１２】印刷用紙に印刷されたトリミング画像の一例を示す図。
【符号の説明】
【００９５】
１００  画像編集装置、１０１  画像取得部、１０２  印刷用紙選択部、１０３  操作部、１０４  トリミング領域設定部、１０５  算出部、１０６  印刷解像度しきい値設定部、１０７  画質判断部、１０８  表示制御部、１０９  表示部、１１０  トリミング画像生成部、１１１  トリミング画像印刷部
【図１】
2007150400.tif 000003
【図２】
2007150400.tif 000004
【図３】
2007150400.tif 000005
【図４】
2007150400.tif 000006
【図５】
2007150400.tif 000007
【図６】
2007150400.tif 000008
【図７】
2007150400.tif 000009
【図８】
2007150400.tif 000010
【図９】
2007150400.tif 000011
【図１０】
2007150400.tif 000012
【図１１】
2007150400.tif 000013
【図１２】
2007150400.tif 000014